(57)【要約】      （修正有）【課題】過誤やいたずらにより機能水吐出装置からの吐水が行われることを抑制することができる洗面化粧台を提供する。【解決手段】排水口１１３が設けられたボウル部１１１と、ボウル部に水道水を吐出する第１吐水部を有する水栓装置１２０と、第１吐水部からの吐水を制御する第１操作部１２５と、除菌作用を有する機能水を吐出する第２吐水部を有する機能水吐出装置１３０と、第２吐水部からの吐水を制御する第２操作部と、を備え、第１操作部は、第１吐水部からの吐水を開始する際に使用者が操作する第１入力部を有し、第２操作部は、第２吐水部からの吐水を開始する際に使用者が操作する第２入力部を有し、第２入力部の前端は、第１入力部の前端よりも後方側に位置するよう設けられている。【選択図】図７
2017127378.tif 000002
【特許請求の範囲】
【請求項１】
排水口が設けられたボウル部と、
前記ボウル部に水道水を吐出する第１吐水部を有する水栓装置と、
前記第１吐水部からの吐水を制御する第１操作部と、
除菌作用を有する機能水を吐出する第２吐水部を有する機能水吐出装置と、
前記第２吐水部からの吐水を制御する第２操作部と、
を備え、
前記第１操作部は、前記第１吐水部からの吐水を開始する際に使用者が操作する第１入力部を有し、
前記第２操作部は、前記第２吐水部からの吐水を開始する際に使用者が操作する第２入力部を有し、
前記第２入力部の前端は、前記第１入力部の前端よりも後方側に位置することを特徴とする洗面化粧台。
【請求項２】
前記第１操作部は、使用者によって把持される把持部を有するレバー式の操作部であり、
前記第１入力部は、前記把持部であり、
前記第２操作部は、使用者によって押圧操作される押圧部を有するプッシュ式の操作部であり、
前記第２入力部は、前記押圧部であることを特徴とする請求項１に記載の洗面化粧台。
【請求項３】
前記把持部は、鉛直方向の下方に延びていることを特徴とする請求項２に記載の洗面化粧台。
【発明の詳細な説明】
【技術分野】
【０００１】
本発明の態様は、一般的に、洗面化粧台に関する。
【背景技術】
【０００２】
一般的に、排水口が設けられたボウル部と、ボウル部に水を吐出する吐水部を有する水栓装置と、を備えた洗面化粧台が知られている。また、除菌作用を有する機能水を吐出する装置を備えた洗面化粧台として、機能水を生成する電解水生成手段と、電解水生成手段により生成された機能水を水周り設備に散布する電解水散布手段と、を備えた水周り設備洗浄装置が知られている（特許文献１）。特許文献１に記載された水周り設備洗浄装置によれば、ボウル部の表面における菌の繁殖を抑えることができる。
【先行技術文献】
【特許文献】
【０００３】
【特許文献１】特開平１０−２８７２１号公報
【発明の概要】
【発明が解決しようとする課題】
【０００４】
特許文献１のように、水栓装置と機能水吐出装置とを備える場合、水栓装置からの吐水を制御する水栓装置用の操作部と、機能水吐出装置からの吐水を制御する機能水吐出装置用の操作部と、を設けることとなる。そのため、水栓装置を使用するつもりが誤って機能水吐出装置を使用してしまうおそれがある。
【０００５】
また、洗面化粧台は老若男女問わずに使用されるものであるため、特に子どもが使用する場合、必要がないのに機能水吐出装置からの吐水を行い続ける等のいたずらが行われる可能性がある。このようないたずらが行われると、電極の寿命を無駄に短くしてしまう。
【０００６】
したがって、本発明は、過誤やいたずらにより機能水吐出装置からの吐水が行われることを抑制することができる洗面化粧台を提供することを目的とする。
【課題を解決するための手段】
【０００７】
第１の発明は、排水口が設けられたボウル部と、前記ボウル部に水道水を吐出する第１吐水部を有する水栓装置と、前記第１吐水部からの吐水を制御する第１操作部と、除菌作用を有する機能水を吐出する第２吐水部を有する機能水吐出装置と、前記第２吐水部からの吐水を制御する第２操作部と、を備え、前記第１操作部は、前記第１吐水部からの吐水を開始する際に使用者が操作する第１入力部を有し、前記第２操作部は、前記第２吐水部からの吐水を開始する際に使用者が操作する第２入力部を有し、前記第２入力部の前端は、前記第１入力部の前端よりも後方側に位置することを特徴とする洗面化粧台である。
【０００８】
この洗面化粧台によれば、第２入力部の前端は、第１入力部の前端よりも後方側に位置する。これにより、第２入力部よりも先に第１入力部に手が届くように、それぞれの操作部を配置することができる。そのため、使用頻度が比較的高い第１入力部には手を届きやすくすることができるとともに、使用頻度が比較的低い第２入力部には手を届き難くすることができる。よって、水栓装置の第１吐水部を使用するつもりが誤って機能水吐出装置の第２吐水部を使用してしまうことを防止することができる。さらに、水栓装置の第１入力部と比較して機能水吐出装置の第２入力部には手が届き難くなっているため、必要がないのに機能水吐出装置からの吐水を行い続ける等のいたずらを抑制することができる。
したがって、本発明によれば、過誤やいたずらにより機能水吐出装置からの吐水が行われることを防止することができる。
【０００９】
第２の発明は、第１の発明において、前記第１操作部は、使用者によって把持される把持部を有するレバー式の操作部であり、前記第１入力部は、前記把持部であり、前記第２操作部は、使用者によって押圧操作される押圧部を有するプッシュ式の操作部であり、前記第２入力部は、前記押圧部であることを特徴とする洗面化粧台である。
【００１０】
この洗面化粧台によれば、第１操作部は、使用者によって把持される把持部を有するレバー式の操作部であり、第１入力部は、把持部であり、第２操作部は、使用者によって押圧操作される押圧部を有するプッシュ式の操作部であり、第２入力部は、押圧部である。洗面化粧台において、水栓装置の操作部がレバー式の操作部であることは一般的であり、プッシュ式の操作部であることは馴染みがない。そのため、水栓装置の操作部である第１操作部が、使用者によって把持される把持部を有するレバー式の操作部であることで、水栓装置の第１吐水部を使用したい使用者は、今まで使用していた使用方法と同様に水栓装置を操作することができる。よって、誤って機能水吐出装置の第２吐水部を使用することをより防止することができる。さらに、第２操作部は、洗面化粧台において馴染みがない操作方法としているため、よりいたずらをし難くすることができる。
【００１１】
第３の発明は、第２の発明において、前記把持部は、鉛直方向の下方に延びていることを特徴とする洗面化粧台である。
【００１２】
この洗面化粧台によれば、第１入力部である把持部は、鉛直方向の下方に延びている。これにより、使用者は把持部に手が届きやすくなり、機能水吐出装置の第２吐水部よりも水栓装置の第１吐水部からの吐水を行い易くなる。
【発明の効果】
【００１３】
本発明の洗面化粧台によれば、過誤やいたずらにより機能水吐出装置からの吐水が行われることを防止することができる。
【図面の簡単な説明】
【００１４】
【図１】本発明の実施の形態にかかる洗面化粧台を表す模式的斜視図である。
【図２】本実施形態にかかる洗面化粧台の要部構成を表すブロック図である。
【図３】本実施形態の機能水吐出装置の具体例を例示する模式的斜視図である。
【図４】本実施形態の機能水生成部の具体例を表す模式的断面図である。
【図５】本実施形態のボウル部を上から眺めた模式的平面図である。
【図６】図５に表した切断面Ｃ８−Ｃ８における模式的断面図である。
【図７】図５に表した切断面Ｃ９−Ｃ９における模式的断面図である。
【発明を実施するための形態】
【００１５】
以下、本発明の実施の形態について図面を参照しつつ説明する。なお、各図面中、同様の構成要素には同一の符号を付して詳細な説明は適宜省略する。  
図１は、本発明の実施の形態にかかる洗面化粧台を表す模式的斜視図である。  
図２は、本実施形態にかかる洗面化粧台の要部構成を表すブロック図である。  
図３は、本実施形態の機能水吐出装置の具体例を例示する模式的斜視図である。  
図４は、本実施形態の機能水生成部の具体例を表す模式的断面図である。
【００１６】
本実施形態にかかる洗面化粧台１００は、ボウル部１１１と、水栓装置１２０と、第１操作部１２５と、機能水吐出装置１３０と、第２操作部と、バックガード１８０と、を備える。図１に表したように、ボウル部１１１は、例えばキャビネット１９２の上に設けられている。ボウル部１１１の上には、化粧鏡１９１が設けられていてもよい。なお、ボウル部１１１の周囲に配置される部材は、キャビネット１９２および化粧鏡１９１だけには限定されない。
【００１７】
なお、本願明細書において、「上」、「下」、「右」および「左」という記載は、洗面化粧台１００の前で洗面化粧台１００を見た人を基準とした上、下、右および左をそれぞれいう。また、本願明細書においては、洗面化粧台１００から、洗面化粧台１００の前に居る人へ向かう方向を「前」方向とし、その逆方向を「後」方向とする。
【００１８】
ボウル部１１１は、排水口１１３を有する（例えば、図５参照）。ボウル部１１１の後側（奥側）の部分には、バックガード１８０が設けられている。バックガード１８０は、ボウル部１１１の縁部１１９よりも高い位置まで延びている。バックガード１８０は、水栓装置１２０や機能水吐出装置１３０などの機能部を隠すことができ、洗面化粧台１００のデザインを向上させることができる。
【００１９】
図１に表したように、水栓装置１２０は、バックガード１８０の前面１８１に設けられている。図２に表したように、水栓装置１２０は、第１吐水部１２１を有する。第１吐水部１２１は、ボウル部１１１に水道水１６７を吐出する。具体的に説明すると、水栓装置１２０は、分岐金具１４２および開閉弁１４４を介して給水源に接続されている。分岐金具１４２は、例えばボウル部１１１の下に設けられている。
【００２０】
第１操作部１２５は、第１吐水部１２１からの吐水を制御するものである。具体的には、第１吐水部１２１からボウル部１１１に水道水１６７を吐出する際に使用者によって手動にて操作されるものである。図１に表したように、第１操作部１２５は、使用者によって把持される把持部１２６（第１入力部）を有するレバー式の操作部であり、バックガード１８０の前面１８１に設けられている。開閉弁１４４が開状態となるように使用者が第１操作部１２５の把持部１２６を操作することで、開閉弁１４４が開状態となり、給水源から供給された水道水１６７は、開閉弁１４４を通って第１吐水部１２１からボウル部１１１に吐出される。なお、本実施形態において、操作レバー１２２および開閉弁１４４は、互いに一体に設けられている。
なお、第１操作部１２５の操作方法はレバー式に限定されない。第１操作部１２５は、第１吐水部１２１からの吐水を制御する際に使用者が接触可能な第１入力部を有していればよく、プッシュ式の操作部であってもよい。
【００２１】
図１に表したように、機能水吐出装置１３０は、バックガード１８０の前面１８１に設けられている。本実施形態では、機能水吐出装置１３０と第２操作部とが一体的に構成されている。すなわち、機能水吐出装置１３０は第２操作部でもある。図２に表したように、機能水吐出装置１３０は、第２吐水部１３１を有する。第２吐水部１３１は、ボウル部１１１に除菌作用を有する機能水１６１を霧状に吐出する。霧状の機能水１６１の粒子径は、分布をもっており、サブミクロンオーダーのものから、２０００マイクロメートル（μｍ）を越えるものまで存在する。霧状の機能水１６１の平均粒子径は、例えば約２００μｍ以上１５００μｍ以下程度である。機能水吐出装置１３０は、分岐金具１４２、電磁弁１４３、及び機能水生成部１５０を介して給水源１４５に接続されている。電磁弁１４３は、例えばボウル部１１１の下に設けられている。なお、第２吐水部１３１から吐出される機能水１６１の形態は霧状に限定されない。
【００２２】
第２操作部は、第２吐水部１３１からの吐水を制御するものである。具体的には、第２吐水部１３１からボウル部１１１に機能水１６１を吐出する際に使用者によって操作されるものである。図２に表したように、第２操作部は、使用者によって押圧操作される押圧部１３２（第２入力部）を有するプッシュ式の操作部である。言い換えると、機能水吐出装置１３０は、押圧部１３２を有する。例えば、使用者が第２操作部の押圧部１３２を押圧操作すると、機能水吐出装置１３０は、除菌作用を有する機能水１６１を霧状に吐出する。なお、機能水吐出装置１３０と第２操作部とが一体的に構成されておらず、別体で構成されていてもよい。言い換えると、機能水吐出装置１３０と第２操作部とをそれぞれ別々に設けてもよい。
【００２３】
機能水生成部１５０は、電磁弁１４３と機能水吐出装置１３０との間に設けられ、除菌作用を有する機能水１６１を生成する。例えば、図４に表したように、機能水生成部１５０は、陽極１５１と、陰極１５２と、を内部に有し、制御部１４１から出力された通電の制御信号により、陽極１５１と、陰極１５２と、の間の空間（流路）を流れる水道水を電気分解することができる。水道水は、塩化物イオンを含んでいる。塩化物イオンは、水源（例えば、地下水や、ダムの水や、河川などの水）に例えば食塩（ＮａＣｌ）や塩化カルシウム（ＣａＣｌ２）などとして含まれている。
【００２４】
そこで、電圧が陽極１５１と陰極１５２との間に供給されると、式（１）に表した反応が陰極１５２において生ずる。
Ｈ＋＋ｅ−  →  １／２Ｈ２↑                 ・・・（１）
【００２５】
一方で、電圧が陽極１５１と陰極１５２との間に供給されると、式（２）および式（３）に表した反応が陽極１５１において生ずる。
２ＯＨ−  →  ２ｅ−＋Ｈ２Ｏ＋１／２Ｏ２↑    ・・・（２）
Ｃｌ−  →  ｅ−＋１／２Ｃｌ２               ・・・（３）
【００２６】
式（３）において発生した塩素は気泡としては存在しにくく、ほとんどの塩素は水に溶解する。そのため、式（３）において発生した塩素については、式（４）に表した反応が生ずる。このようにして、塩素イオンを電気分解することにより次亜塩素酸（ＨＣｌＯ）が生成される。その結果、電解水生成部１５０において電気分解された水は、次亜塩素酸を含む液に変化する。
Ｃｌ２＋Ｈ２Ｏ  →  ＨＣｌＯ＋Ｈ＋＋Ｃｌ−    ・・・（４）
【００２７】
次亜塩素酸は、除菌成分として機能する。次亜塩素酸を含む液は、例えばボウル部１１１や排水口１１３、排水口１１３の内部１１６、ヘアキャッチャーなどに付着している細菌を除菌することができる。
【００２８】
機能水が細菌と反応すると、式（５）に表した反応が生ずる。
Ｒ−Ｈ＋ＨＣｌＯ  →  Ｒ−ＯＨ＋Ｈ＋＋Ｃｌ−    ・・・（５）
式（５）の中に表した「Ｒ−Ｈ」は、有機物であり、例えば細菌の細胞である。式（５）の中に表した「Ｒ−ＯＨ」は、分解された有機物である。これにより、細菌の細胞が変性され、除菌（殺菌）が行われる。そして、機能水が細菌と反応すると、除菌成分（ＨＣｌＯ）が失われるため、結果として、機能水（除菌水）の濃度が下がる。
【００２９】
また、時間が経つと、式（６）に表した反応が生ずる。
２ＨＣｌＯ  →  ２Ｈ＋＋２Ｃｌ−＋Ｏ２    ・・・（６）
このように、時間が経つと、除菌成分（ＨＣｌＯ）が失われるため、結果として、機能水（除菌水）の濃度が下がる。
【００３０】
なお、本実施形態の機能水生成部１５０は、次亜塩素酸を含む液を生成することには限定されない。例えば、機能水生成部１５０において生成される機能水１６１は、オゾンなどを含む液であってもよい。また、機能水生成部１５０は、陽極板および陰極板を有する電解槽ユニットに限定されるわけではない。
【００３１】
使用者が第２操作部の押圧部１３２を押圧操作することで制御部１４１が電磁弁１４３に信号を送信し電磁弁１４３を開くと、給水源１４５から供給された水道水は、分岐金具１４２および電磁弁１４３を通って機能水生成部１５０に供給される。機能水生成部１５０に供給された水道水は、機能水生成部１５０において機能水１６１として生成され、機能水吐出装置１３０からボウル部１１１に吐出される。
【００３２】
例えば、図３に表したように、機能水吐出装置１３０は、さらに照射部１３３を有する。機能水吐出装置１３０は、例えば使用者が第２操作部の押圧部１３１を操作すると、機能水生成部１５０により生成された機能水１６１を機能水吐水部１３２からボウル部１１１に向けて吐出する。機能水吐出装置１３０は、照射部１３３から光を放出し、機能水吐水部１３２から吐出された機能水１６１に光を照射してもよい。
【００３３】
図５は、本実施形態のボウル部を上から眺めた模式的平面図である。
図６は、図５に表した切断面Ｃ８−Ｃ８における模式的断面図である。
図７は、図５に表した切断面Ｃ９−Ｃ９における模式的断面図である。
【００３４】
図５〜７に表したように、ボウル部１１１は排水口１１３を有する。ボウル部１１１の表面１１５には、排水口１１３に向かって下方に傾斜した排水勾配が形成されている。排水口１１３の上には、排水栓１１２が設けられている。排水栓１１２は、排水口１１３の部分に常設され、上下方向に昇降することにより排水口１１３を開閉することができる。
【００３５】
例えば、機能水吐出装置１３０から霧状に吐出された機能水１６１は、排水栓１１２を含む領域に着水する。すなわち、例えば、機能水吐出装置１３０から霧状に吐出された機能水１６１のうちの少なくとも一部は、排水栓１１２に着水する。なお、機能水吐出装置１３０から吐出された機能水１６１が着水する領域は、これだけには限定されない。
【００３６】
図５および７に表したように、第２操作部の押圧部１３２の前端１３２ａは、第１操作部１２５の把持部１２６の前端１２６ａよりも後方側に位置する。言い換えると、第２操作部の押圧部１３２がバックガード１８０の前面１８１からボウル部１１１に向かって突出した長さＤ１は、第１操作部１２５の把持部１２６がバックガード１８０の前面１８１からボウル部１１１に向かって突出した長さＤ２よりも少ない。
【００３７】
これによれば、第２操作部の押圧部１３２よりも先に第１操作部１２５の把持部１２６に手が届くようにすることができる。そのため、使用頻度が比較的高い第１操作部１２５の把持部１２５には手を届きやすくすることができるとともに、使用頻度が比較的低い第２操作部の押圧部１３２６には手を届き難くすることができる。よって、水栓装置１２０の第１吐水部１２１を使用するつもりが誤って機能水吐出装置１３０の第２吐水部１３１を使用してしまうことを防止することができる。さらに、第１操作部１２５の把持部１２６と比較して第２操作部の押圧部１３２には手が届き難くなっているため、必要がないのに機能水吐出装置１３０の第２吐水部１３１からの吐水を行い続ける等のいたずらを防止することができる。
したがって、本発明によれば、過誤やいたずらにより機能水吐出装置１３０からの吐水が行われることを防止することができる。
【００３８】
さらに、洗面化粧台において、水栓装置の操作部がレバー式の操作部であることは一般的である。そのため、水栓装置１２０の操作部である第１操作部１２５が、使用者によって把持される把持部１２６を有するレバー式の操作部であることで、水栓装置１２０の第１吐水部１２１を使用したい使用者は、今まで使用していた使用方法と同様に水栓装置１２０を操作することができる。よって、誤って機能水吐出装置１３０の第２吐水部１３１を使用することをより防止することができる。さらに、第２操作部は、プッシュ式の操作部であり、洗面化粧台において馴染みがない操作方法としているため、よりいたずらをし難くすることができる。
【００３９】
図６および７に表したように、第１操作部１２５の把持部１２６は、鉛直方向の下方に延びている。これによれば、使用者は把持部１２６により手が届きやすくなり、機能水吐出装置１３０の第２吐水部１３１よりも水栓装置１２０の第１吐水部１２１からの吐水を行い易くなる。
【００４０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、水栓装置１２０および機能水吐出装置１３０などが備える各要素の形状、寸法、材質、配置などや水栓装置１２０および機能水吐出装置１３０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４１】
１００    洗面化粧台
１１１    ボウル部
１１２    排水栓
１１３    排水口
１１５    表面
１１９    縁部
１２０    水栓装置
１２１    第１吐水部
１２５    第１操作部
１２６    把持部（第１入力部）
１３０    機能水吐出装置（第２操作部）
１３１    第２吐水部
１３２    押圧部（第２入力部）
１３３    照射部
１４１    制御部
１４２    分岐金具
１４３    開閉弁
１４４    電磁弁
１４５    給水源
１５０    機能水生成部
１５１    陽極
１５２    陰極
１６１    機能水
１６７    水
１８０    バックガード
１８１    前面
１９１    化粧鏡
１９２    キャビネット
【図１】
2017127378.tif 000003
【図２】
2017127378.tif 000004
【図３】
2017127378.tif 000005
【図４】
2017127378.tif 000006
【図５】
2017127378.tif 000007
【図６】
2017127378.tif 000008
【図７】
2017127378.tif 000009